(57)【要約】      （修正有）【課題】収納物の付着によるチャックの密着機能の低下を防ぐとともに、開口部を衛生的に保つ粉末状調味料等の容器を提供する。【解決手段】容器本体５の上部開閉部分内側にチャック式密着構造３を設け、その下の位置に接合部４において、筒状の折り込み式開口部１を本体内側全周に密着結合させて設ける。収納物の取り出しは、開口部１が上方に引き出された状態で行う。収納物取り出しの際、その動線上からチャック式密着構造３が分離される事により、チャック式密着構造３に収納物が接触し付着する事が無く、密封機能の低下を防止できる。密封状態から開放する際、開口部内側に指等が触れないため衛生的である。また開口部を単数または複数の小さな穴とする事で、チャック式密封容器における粉末状調味料等の容器としての利用を可能にする。【選択図】図１
2015071437.tif 000002
【特許請求の範囲】
【請求項１】
開口部を内側に収納するチャック式密封容器
【請求項２】
開口部を本体より小径に窄めた形状とした請求項１のチャック式密封容器
【請求項３】
開口部両端に引き出し用持ち手を設けた請求項１、請求項２のチャック式密封容器
【請求項４】
開口部を単数または複数の穴で構成した請求項１、請求項２、請求項３のチャック式密封容器
【発明の詳細な説明】
【技術分野】
【０００１】
食品等を密封保存するためのチャック式密封容器に関する。
【背景技術】
【０００２】
食品等の、特に湿度を嫌う粉末類、乾物などを収納している袋状容器は１度に使い切らなかった場合を想定し、開封後もその袋状容器において保管する際、内容物の散乱や湿気吸収の防止、酸化による劣化を抑制するために、開口部に開閉自在のチャック式密封構造を設けている場合が多い。しかし収納物の取出しに際し、チャック部分に収納物が接触する事を避けられないため、収納物の性質によっては、チャック部分に収納物が付着し、再密封が不完全になる事がある。また密着した開口部を開く際には開口部の内側と外側を指でつまみ引き離す操作を行うため開口部内側に指が触れて不衛生になりがちである。
【０００３】
前述の理由により粉末状の調味料類においては、チャック式密封容器はあまり適さず、専用のビン容器などに移し替えて使用および保存する事が多い。
【０００４】
この課題の一部を解決するための特許文献として、チャック部分に覆いかぶさるように山型のタグ状のガイドを折込み出し自在に設けた「円滑移出入口付き包装容器」がある。
【特許文献１】特開２００８−０３７４９９
【発明の概要】
【発明が解決しようとする課題】
【０００５】
チャック式密封構造は簡易的に開口部の開閉を自在に行う事が出来るため、１度で使い切らない事を想定した食品等の袋状容器に幅広く採用されているが、収納物が粉末状の場合、チャック構造部分に粉が付着する事により、容器の密封が不完全な状態になる事が頻繁にあった。
【０００６】
チャック部分は通常、樹脂製の細長い凹状の溝とこれに対応し合致する細長い凸状の突起構造により形成されていて、双方がはまり込む事により密着させているが、この溝や突起に粉等が付着すると、その完全な除去は困難で、一度この状態になると開口部の密着が不完全になり、収納物の密封保存を妨げていた。これは収納物の取り出しに際し、開口部のチャック構造部分を収納物が通過するため、チャック構造部分に収納物が接触する可能性が極めて高いからである。
【０００７】
また、密封状態を開放する際は通常、開口部分の内側と外側を指でつまみ、引き剥がす操作を行うので、開口部内側が不衛生になりがちという問題もあった。
【０００８】
粉末状の調味料等においては、少量の使用が繰り返されるため、前述の問題点が特に顕著となる上に、使用する際、予期せず多量に排出してしまう可能性が有るため、小さな排出口を設けたビン等の専用容器に移し替えることが一般的で、そのためチャック式密封容器はあまり使われていないのが現状である。
【０００９】
この課題を解決する方法として、折込み出し自在の山型のタグを、チャック部分に被せるように設ける先行技術もあるが、この方法は収納物取出しの際の軌道がチャック部分と完全には分離されておらず、取出し時の加減によっては両脇からチャック部に収納物が付着してしまう。またタグが山型等の一辺で本体に結合されているため、安定した状態を保ちにくく、収納物取出しの際、収納物の散乱が懸念された。さらに内側に折り込まれた状態からタグを引き出す際、容器の開口部から内側に深く指を入れて、タグの先端か、先端に取り付けられた引き出し用短片を摘んで引き出すことになり、衛生的とは言えなかった。
【００１０】
本発明は、チャック式密着構造を収納物の付着から守る事で密封機能の低下を防ぎ、開口部を衛生的に保ちながら、簡単な操作で開口部の引き出し、及び収納を可能にしたチャック式密封容器を提供することを目的とする。
【００１１】
また、粉末状の調味料等において、他の専用容器に移し替える事無く快適に使用および保存できるチャック式密封容器も合わせて提供する。
【課題を解決するための手段】
【００１２】
シート状素材で形成された容器開口部を内側に収納する構造とする。チャック式密着構造は、開口部を内側に折り込んだ際に形成される見掛け上の開口部の内側に向かい合う位置で設置する。開口部先端を引き出した際、チャック式密着構造部分より上方に開口部が突出する形状とする。
【００１３】
容器を密封する際は開口部を反転させ内側に折り込み収納し、チャック部を密着閉鎖する事により、容器としての密封性を保持させる。
【００１４】
収納物の取り出し時には、見掛け上の開口部のチャック部を開き、本来の開口部を上方まで引き出し、収納物の取り出しを行う。
【００１５】
開口部は、容器本体より小径に窄めた形状とすることで内側に収納しやすくなると共に、容器の密封状態開放時に本体と開口部の径の違いによって、上方に持ち上がる効果をもたらす。
【００１６】
開口部両端に引き出し用持ち手を設けることで、開口部の収納及び引き出しはさらに容易で確実となる。
【００１７】
また開口部を単数または複数の小さな穴とする事で、容器を反転させた際の収納物排出量を制限し、収納物を微量づつ取り出すことを可能にする。  
【発明の効果】
【００１８】
容器を本発明の、開口部が収納されるチャック式密着構造を有するものとした場合、収納物の取り出しに際しては、あらかじめ容器内側に収納された開口部をチャック構造部より上部に突出するよう引き上げる事により、収納物取り出しの際の動線上からチャック構造部全周が隔離されるため、チャック構造部に収納物が接触する機会が減少する。これによりチャック構造部分に収納物が付着したり詰まる事を防ぎ、高頻度の度重なる使用においても良好に密封機能を保持することが出来る。
【００１９】
また、収納物取り出しを行う実質的開口部と容器の密封を行うための構造を分離する事により、密封状態開放時に指等が容器内側部分に直接触れる事が無く衛生的である。
【００２０】
開口部の形状を本体より小径に窄めた形にすれば内側への収納時にだぶつくこともなく、密封状態開放時には見掛け上の開口部を大きく開くことにより本体との径の違いによって開口部が上方に持ち上がる効果が生まれ、開口部の引き出しが容易になる。
本体と開口部の径の違いの程度については、容器の大きさや収納物の種類等により適正な形状は変わってくると考えられる。
【００２１】
開口部両端に引き出し用持ち手を設けることで、開口部の引き出しおよび収納はさらに容易で確実に行うことができ、容器内側に指等が触れる機会を減少させ、より衛生的に使用することができる。
【００２２】
従来、塩、胡椒、七味唐辛子、ガーリックパウダーのような粉末状調味料類の小袋商品においては、少量を頻繁に使用する商品であるため、本件課題に示す理由によりチャック式密封容器は不向きで、小びん等の専用容器に移し替える事を前提としていたが、本発明の請求項４によるチャック式密封容器に封入し販売すれば、別容器に移す事無く使用および密封保存が可能である。
【発明を実施するための形態】
【００２３】
以下、本発明を実施するための最良の形態について説明する。
【実施例１】
【００２４】
図１〜図５は本発明請求項３において、袋状容器の開口部をチャック式密着構造の下部で内側に折り込む二重構造とした形態を、実施例１として示したものである。図１は折り込み式開口部が上部に突出した状態を示した斜視図である。図２は図１の状態の正面図である。図３は折り込み式開口部を折り込んで収納した状態の正面図である。図４は図１、図２のA−A’線断面図である。図５は図３のB−B’線断面図である。
【００２５】
容器本体５の上部開閉部分内側にチャック式密着構造３を設け、その下の位置に接合部４において、筒状の折り込み式開口部１を本体内側全周に密着結合させて設ける。この折り込み式開口部１は、確実に内側に収納できるよう、先端に向けて容器本体５より徐々に小径に窄めた形状とし、かつ開閉部分より上方に突出する長さを持たせている。さらに両端には引き出し用持ち手６を設けている。容器の密封を行う際は、折り込み式開口部１を内側に折り込み収納する事により、チャック式密着構造３より下部の位置に納めた後にチャック式密着構造３を使用し密封する。
【００２６】
収納物の取り出しの際は、見掛け上の開口部２の部分を摘んで引き剥がす。この際、指は収納物が納められた容器内側には触れないため衛生的である。
【００２７】
見掛け上の開口部を大きく開くと、本体と開口部の径の違いにより、開口部両端に設けた引き出し用持ち手が上方に持ち上がってくるので、ここを摘んで折り込み式開口部１を上方に引き出す。開口部が筒状の一体構造であるため、引き出し用持ち手６からの力は開口部全体に効果的に伝わり、引き出し及び収納が容易かつ確実に行える。
【００２８】
商品を収納した状態で販売する際には、製造封入過程において折り込み式開口部１の先端部分は、シール状に密着閉鎖させておき、消費者がはじめに使用する際、この密着部分を切り取る等により開封し、収納された商品を取り出す方法が考えられる。その際、収納物の直接の取り出し口となる折り込み式開口部１は見掛け上の開口部２より上部に突出するので、チャック式密着構造３は収納物取り出しの動線上から分離され収納物との接触を避けられる。この効果は、スプーン等を利用して収納物を掬い取る場合の他、容器全体を傾けて重力により収納物を排出する際にも有効に作用する。
【００２９】
チャック式密着構造３は収納物が付着せず、常に良好な状態を維持できるので、使用頻度に関わらず良好な密封保存が期待できる。  
【００３０】
収納物を使い切らず保存する際には、折り込み式開口部１を容器内側に折り込み収納する事により、チャック式密着構造３より下部の位置に納め、その上でチャック式密着構造３を密着する事により容器の再密封を行う。
【実施例２】
【００３１】
図６〜図１０は本発明請求項３において、折り込み式開口部にチャック式密着構造を設けた、本発明のより簡易な形態を実施例２として示したものである。図６は折り込み式開口部７を上方に引き出した状態の斜視図である。図7は図６の状態の正面図である。図８は折り込み式開口部７を内側に折り込んで収納した状態の正面図である。図９は図６、図７のC−C’線断面図である。図１０は図８のD−D’線断面図である。
【００３２】
容器本体10の上部を折り込み式開口部７とし、折り返し部分９において内側に折り込み収納する構造とする。確実に内側に収納できるよう、開口部先端部分に向けて本体10より徐々に小径に窄めた形状とし、開口部７両端には引き出し用持ち手11を設ける。
チャック式密着構造８は、折り込み式開口部７の外側に外向きに設置することで、折り込み式開口部７を内側に折り込んだ際に内向きに向かい合うようになる。
【００３３】
収納物取り出しの際は折り返し部分９を摘んで引き剥がす。この際、指は収納物が納められた容器内側には触れないため衛生的である。
【００３４】
折り返し部分９を大きく開くと、本体と開口部の径の違いにより、開口部両端に設けた引き出し用持ち手11が上方に持ち上がってくるので、ここを摘んで折り込み式開口部１を上方に引き出す。開口部が筒状の一体構造であるため、引き出し用持ち手11からの力は開口部全体に効果的に伝わり、引き出し及び収納が容易かつ確実に行える。
【００３５】
実施例１と同様に、商品を収納した状態で販売する際には、製造封入過程において折り込み式開口部７の先端部分は、シール状に密着閉鎖させておき、消費者がはじめに使用する際、この密着部分を切り取る等により開封し、収納された商品を取り出す方法が考えられる。この時、チャック式密着構造８は容器の外側に位置するため、収納物取り出しの動線上から分離され収納物との接触を避けられる。この効果は、スプーン等を利用して収納物を掬い取る場合の他、容器全体を傾けて重力により収納物を排出する際にも有効に作用する。
【００３６】
チャック式密着構造８は収納物が付着せず、常に良好な状態を維持できるので、使用頻度に関わらず良好な密封保存が期待できる。  
【００３７】
収納物を使い切らず保存する際には、折り込み式開口部７を容器内側に折り込み収納する事により、チャック式密着構造８が内側で向かい合い、これを密着する事により容器の再密封を行う。
【実施例３】
【００３８】
図１１、図１２は、折り込み式開口部を単数または複数の小さな穴とした、請求項４の実施形態を実施例３として示したものである。図１１は折り込み式開口部が上部に突出した状態を示した斜視図である。図１２は図１１のE−E’線断面図である。
【００３９】
開口部を小さな穴とする事で、粉末状の収納物を容器を傾け、または反転させて取り出す際、排出量が制限され、微量づつの排出が容易であり、かつ開口部からの湿気の流入を最小限に抑える事ができる。粉末状の調味料類などの容器に適した形態と考えられる。
【００４０】
実施例３は、実施例１の形態を基本に応用したものであるが、この効果は実施例２の形態に応用した場合も同様である。
【００４１】
図１１、図１２に示すように、容器本体に底部分13を設け、立体的に形成する事で容器に自立性を持たせれば、容器としての使い勝手はより向上すると考えられる。
【００４２】
本発明はチャック式密封容器の開口部周辺の構造に特徴を有するもので、容器本体部分の構造、形態については実施例に示す形態に限定されるものではない。例えば本体部分を形状の安定した箱や筒状の容器とすることも有効である。
【００４３】
なお、本発明は通常薄いシート状の素材により製造されると想定されるが、断面図である図４、図５、図９、図10、図12においては、形状を解りやすく表現するため厚みを持たせた表現としている。
【図面の簡単な説明】
【００４４】
【図１】本発明請求項３における実施例１の斜視図である。
【図２】実施例１において開口部を上方に出した状態の正面図である。
【図３】実施例１において開口部を内側に収納し密封した状態の正面図である。
【図４】図１、図２のA−A’線断面図である。
【図５】図３のB−B’線断面図である。
【図６】本発明請求項３における実施例２の斜視図である。
【図７】実施例２において開口部を上方に出した状態の正面図である。
【図８】実施例２において開口部を内側に収納し密封した状態の正面図である。
【図９】図６、図７のC−C’線断面図である。
【図１０】図８のD−D’線断面図である。
【図１１】本発明請求項４における実施例３の斜視図である。
【図１２】図１１のE−E’線断面図である。
【符号の説明】
【００４５】
１  折り込み式開口部
２  見掛け上の開口部
３  チャック式密着構造
４  接合部
５  容器本体
６  引き出し用持ち手
７  折り込み式開口部
８  チャック式密着構造
９  折り返し部分
10  容器本体
11  引き出し用持ち手
12  開口部穴
13  底
【図１】
2015071437.tif 000003
【図２】
2015071437.tif 000004
【図３】
2015071437.tif 000005
【図４】
2015071437.tif 000006
【図５】
2015071437.tif 000007
【図６】
2015071437.tif 000008
【図７】
2015071437.tif 000009
【図８】
2015071437.tif 000010
【図９】
2015071437.tif 000011
【図１０】
2015071437.tif 000012
【図１１】
2015071437.tif 000013
【図１２】
2015071437.tif 000014
【手続補正書】
【提出日】平成25年10月9日(2013.10.9)
【手続補正１】
【補正対象書類名】明細書
【補正対象項目名】全文
【補正方法】変更
【補正の内容】
【発明の詳細な説明】
【技術分野】
【０００１】
食品等を密封保存するためのチャック式密封容器に関する。
【背景技術】
【０００２】
食品等の、特に湿度を嫌う粉末類、乾物などを収納している袋状容器は１度に使い切らなかった場合を想定し、開封後もその袋状容器において保管する際、内容物の散乱や湿気吸収の防止、酸化による劣化を抑制するために、開口部に開閉自在のチャック式密封構造を設けている場合が多い。しかし収納物の取出しに際し、チャック部分に収納物が接触する事を避けられないため、収納物の性質によっては、チャック部分に収納物が付着し、再密封が不完全になる事がある。また密着した開口部を開く際には開口部の内側と外側を指でつまみ引き離す操作を行うため開口部内側に指が触れて不衛生になりがちである。
【０００３】
前述の理由により粉末状の調味料類においては、チャック式密封容器はあまり適さず、専用のビン容器などに移し替えて使用および保存する事が多い。
【０００４】
この課題の一部を解決するための特許文献として、チャック部分に覆いかぶさるように山型のタグ状のガイドを折込み出し自在に設けた「円滑移出入口付き包装容器」がある。
【特許文献１】特開２００８−０３７４９９
【発明の概要】
【発明が解決しようとする課題】
【０００５】
チャック式密封構造は簡易的に開口部の開閉を自在に行う事が出来るため、１度で使い切らない事を想定した食品等の袋状容器に幅広く採用されているが、収納物が粉末状の場合、チャック構造部分に粉が付着する事により、容器の密封が不完全な状態になる事が頻繁にあった。
【０００６】
チャック部分は通常、樹脂製の細長い凹状の溝とこれに対応し合致する細長い凸状の突起構造により形成されていて、双方がはまり込む事により密着させているが、この溝や突起に粉等が付着すると、その完全な除去は困難で、一度この状態になると開口部の密着が不完全になり、収納物の密封保存を妨げていた。これは収納物の取り出しに際し、開口部のチャック構造部分を収納物が通過するため、チャック構造部分に収納物が接触する可能性が極めて高いからである。
【０００７】
また、密封状態を開放する際は通常、開口部分の内側と外側を指でつまみ、引き剥がす操作を行うので、開口部内側が不衛生になりがちという問題もあった。
【０００８】
粉末状の調味料等においては、少量の使用が繰り返されるため、前述の問題点が特に顕著となる上に、使用する際、予期せず多量に排出してしまう可能性が有るため、小さな排出口を設けたビン等の専用容器に移し替えることが一般的で、そのためチャック式密封容器はあまり使われていないのが現状である。
【０００９】
この課題を解決する方法として、折込み出し自在の山型のタグを、チャック部分に被せるように設ける先行技術もあるが、この方法は収納物取出しの際の軌道がチャック部分と完全には分離されておらず、取出し時の加減によっては両脇からチャック部に収納物が付着してしまう。またタグが山型等の一辺で本体に結合されているため、安定した状態を保ちにくく、収納物取出しの際、収納物の散乱が懸念された。さらに内側に折り込まれた状態からタグを引き出す際、容器の開口部から内側に深く指を入れて、タグの先端か、先端に取り付けられた引き出し用短片を摘んで引き出すことになり、衛生的とは言えなかった。
【００１０】
本発明は、チャック式密着構造を収納物の付着から守る事で密封機能の低下を防ぎ、開口部を衛生的に保ちながら、簡単な操作で開口部の引き出し、及び収納を可能にしたチャック式密封容器を提供することを目的とする。
【００１１】
また、粉末状の調味料等において、他の専用容器に移し替える事無く快適に使用および保存できるチャック式密封容器も合わせて提供する。
【課題を解決するための手段】
【００１２】
シート状素材で形成された容器開口部を内側に収納する構造とする。チャック式密着構造は、開口部を内側に折り込んだ際に形成される見掛け上の開口部の内側に向かい合う位置で設置する。開口部先端を引き出した際、チャック式密着構造部分より上方に開口部が突出する形状とする。
【００１３】
容器を密封する際は開口部を反転させ内側に折り込み収納し、チャック部を密着閉鎖する事により、容器としての密封性を保持させる。
【００１４】
収納物の取り出し時には、見掛け上の開口部のチャック部を開き、本来の開口部を上方まで引き出し、収納物の取り出しを行う。
【００１５】
開口部は、容器本体より小径に窄めた形状とすることで内側に収納しやすくなると共に、容器の密封状態開放時に本体と開口部の径の違いによって、上方に持ち上がる効果をもたらす。
【００１６】
開口部の一箇所以上に引き出し用持ち手を設けることで、開口部の収納及び引き出しはさらに容易で確実となる。
【００１７】
また開口部を単数または複数の小さな穴とする事で、容器を反転させた際の収納物排出量を制限し、収納物を微量づつ取り出すことを可能にする。  
【００１８】
開口部を円錐形状として本体に形成すれば円錐の先端部分の切り取る幅や角度を変えることで利用者は開口部の広さを任意とすることができるとともに、その漏斗形状が収納物の適量取り出しを容易にする。
【発明の効果】
【００１９】
容器を本発明の、開口部が収納されるチャック式密着構造を有するものとした場合、収納物の取り出しに際しては、あらかじめ容器内側に収納された開口部をチャック構造部より上部に突出するよう引き上げる事により、収納物取り出しの際の動線上からチャック構造部全周が隔離されるため、チャック構造部に収納物が接触する機会が減少する。これによりチャック構造部分に収納物が付着したり詰まる事を防ぎ、高頻度の度重なる使用においても良好に密封機能を保持することが出来る。
【００２０】
また、収納物取り出しを行う実質的開口部と容器の密封を行うための構造を分離する事により、密封状態開放時に指等が容器内側部分に直接触れる事が無く衛生的である。
【００２１】
開口部の形状を本体より小径に窄めた形にすれば内側への収納時にだぶつくこともなく、密封状態開放時には見掛け上の開口部を大きく開くことにより本体との径の違いによって開口部が上方に持ち上がる効果が生まれ、開口部の引き出しが容易になる。
本体と開口部の径の違いの程度については、容器の大きさや収納物の種類等により適正な形状は変わってくると考えられる。
【００２２】
開口部の一箇所以上に引き出し用持ち手を設けることで、開口部の引き出しおよび収納はさらに容易で確実に行うことができ、容器内側に指等が触れる機会を減少させ、より衛生的に使用することができる。
【００２３】
開口部を小さな穴としておけば、容器を傾け、または反転させた時の収納物の排出量を抑制できるうえにチャックによる密閉が可能なので、従来チャック式密封容器には不向きと考えられた、塩、胡椒、七味唐辛子、ガーリックパウダーのような粉末状調味料類の商品においても、小びん等の専用容器に移し替える事なく、使用および密封保存が可能である。
【００２４】
開口部となる部分を円錐形状にして設けておけば、使用者は円錐形状先端部分の切り取る幅や角度を選択することで開口部の大きさを任意に変えることができ、様々な製品の容器としての利用が考えられる。またその漏斗形状が収納物の適量取り出しを容易にする。円錐の形状を工夫することで用途の可能性はさらに広がる。
【発明を実施するための形態】
【００２５】
以下、本発明を実施するための最良の形態について説明する。
【実施例１】
【００２６】
図１〜図５は本発明請求項３において、袋状容器の開口部をチャック式密着構造の下部で内側に折り込む二重構造とした形態を、実施例１として示したものである。図１は折り込み式開口部が上部に突出した状態を示した斜視図である。図２は図１の状態の正面図である。図３は折り込み式開口部を折り込んで収納した状態の正面図である。図４は図１、図２のA−A’線断面図である。図５は図３のB−B’線断面図である。
【００２７】
容器本体５の上部開閉部分内側にチャック式密着構造３を設け、その下の位置に接合部４において、筒状の折り込み式開口部１を本体内側全周に密着結合させて設ける。この折り込み式開口部１は、確実に内側に収納できるよう、先端に向けて容器本体５より徐々に小径に窄めた形状とし、かつ開閉部分より上方に突出する長さを持たせている。さらに両端には引き出し用持ち手６を設けている。容器の密封を行う際は、折り込み式開口部１を内側に折り込み収納する事により、チャック式密着構造３より下部の位置に納めた後にチャック式密着構造３を使用し密封する。
【００２８】
収納物の取り出しの際は、見掛け上の開口部２の部分を摘んで引き剥がす。この際、指は収納物が納められた容器内側には触れないため衛生的である。
【００２９】
見掛け上の開口部を大きく開くと、本体と開口部の径の違いにより、開口部両端に設けた引き出し用持ち手が上方に持ち上がってくるので、ここを摘んで折り込み式開口部１を上方に引き出す。開口部が筒状の一体構造であるため、引き出し用持ち手６からの力は開口部全体に効果的に伝わり、引き出し及び収納が容易かつ確実に行える。
【００３０】
商品を収納した状態で販売する際には、製造封入過程において折り込み式開口部１の先端部分は閉鎖させておき、消費者がはじめに使用する際、この部分を切り取る等により開封し、収納された商品を取り出す方法が考えられる。その際、収納物の直接の取り出し口となる折り込み式開口部１は見掛け上の開口部２より上部に突出するので、チャック式密着構造３は収納物取り出しの動線上から分離され収納物との接触を避けられる。この効果は、スプーン等を利用して収納物を掬い取る場合の他、容器全体を傾けて重力により収納物を排出する際にも有効に作用する。
【００３１】
チャック式密着構造３は収納物が付着せず、常に良好な状態を維持できるので、使用頻度に関わらず良好な密封保存が期待できる。  
【００３２】
収納物を使い切らず保存する際には、折り込み式開口部１を容器内側に折り込み収納する事により、チャック式密着構造３より下部の位置に納め、その上でチャック式密着構造３を密着する事により容器の再密封を行う。
【実施例２】
【００３３】
図６〜図１０は本発明請求項３において、折り込み式開口部にチャック式密着構造を設けた、本発明のより簡易な形態を実施例２として示したものである。図６は折り込み式開口部７を上方に引き出した状態の斜視図である。図7は図６の状態の正面図である。図８は折り込み式開口部７を内側に折り込んで収納した状態の正面図である。図９は図６、図７のC−C’線断面図である。図１０は図８のD−D’線断面図である。
【００３４】
容器本体10の上部を折り込み式開口部７とし、折り返し部分９において内側に折り込み収納する構造とする。確実に内側に収納できるよう、開口部先端部分に向けて本体10より徐々に小径に窄めた形状とし、開口部７両端には引き出し用持ち手11を設ける。
チャック式密着構造８は、折り込み式開口部７の外側に外向きに設置することで、折り込み式開口部７を内側に折り込んだ際に内向きに向かい合うようになる。
【００３５】
収納物取り出しの際は折り返し部分９を摘んで引き剥がす。この際、指は収納物が納められた容器内側には触れないため衛生的である。
【００３６】
折り返し部分９を大きく開くと、本体と開口部の径の違いにより、開口部両端に設けた引き出し用持ち手11が上方に持ち上がってくるので、ここを摘んで折り込み式開口部１を上方に引き出す。開口部が筒状の一体構造であるため、引き出し用持ち手11からの力は開口部全体に効果的に伝わり、引き出し及び収納が容易かつ確実に行える。
【００３７】
実施例１と同様に、商品を収納した状態で販売する際には、製造封入過程において折り込み式開口部７の先端部分は閉鎖させておき、消費者がはじめに使用する際、この部分を切り取る等により開封し、収納された商品を取り出す方法が考えられる。この時、チャック式密着構造８は容器の外側に位置するため、収納物取り出しの動線上から分離され収納物との接触を避けられる。この効果は、スプーン等を利用して収納物を掬い取る場合の他、容器全体を傾けて重力により収納物を排出する際にも有効に作用する。
【００３８】
チャック式密着構造８は収納物が付着せず、常に良好な状態を維持できるので、使用頻度に関わらず良好な密封保存が期待できる。  
【００３９】
収納物を使い切らず保存する際には、折り込み式開口部７を容器内側に折り込み収納する事により、チャック式密着構造８が内側で向かい合い、これを密着する事により容器の再密封を行う。
【実施例３】
【００４０】
図１１、図１２は、折り込み式開口部を単数または複数の小さな穴とした、請求項４の実施形態を実施例３として示したものである。図１１は折り込み式開口部が上部に突出した状態を示した斜視図である。図１２は図１１のE−E’線断面図である。
【００４１】
開口部を小さな穴とする事で、粉末状の収納物を容器を傾け、または反転させて取り出す際、排出量が制限され、微量づつの排出が容易であり、かつ開口部からの湿気の流入を最小限に抑える事ができる。粉末状の調味料類などの容器に適した形態と考えられる。
【００４２】
実施例３は、実施例１の形態を基本に応用したものであるが、この効果は実施例２の形態に応用した場合も同様である。
【００４３】
図１３、図１４、図１５は、折り込み式開口部を円錐形状とし、容器本体中心線に対し左右非対称に傾けて設けるとともに円錐形状上部に開口部と引き出し用持ち手としての役割を兼ねさせた、請求項７の実施形態を実施例４として示したものである。図１３は折り込み式開口部兼引き出し用持ち手となる円錐形状先端部分を未開封で上部に突出させた状態を示した斜視図である。図１４は折り込み式開口部兼引き出し用持ち手となる円錐形状先端の一部分を切り取り開封した上で、容器内に折り込んだ状態を示した斜視図である。図１５は図１４のF-F’線断面図である。
【００４４】
折り込み式開口部を、先端が閉じた円錐形状とした場合、先端部分を切り取ることで請求項２の形態となる。切り取る幅や角度を変えることにより開口部の広さを自由に選択することができる。この円錐形状が容器中心線に対し左右対称であった場合、切り取りを小さくして開口部を小さくすると、折り込み部分の全高が長くなり、容器密封時に必要以上に開口部を容器内深くに折り込まなければならず、あまり合理的ではない。
【００４５】
この時、円錐形状の先端部分を他の部分より厚く丈夫な素材にするなどして、開口部兼引き出し用取っ手15とし、上方を向いたまま収納可能とすれば、開口部の収納及び引き出しは、この部分を摘んで押し込んだり引き出したりすることで、容易かつ確実に行うことができると共に、容器内に収納する深さも小さくすることができる。
【００４６】
図１３のように、この円錐形状を容器本体に対し非対称に傾けた形状として設けると、円錐の頂点部分が容器本体との接合部分4に近い位置とすることができるので、切り取り指示線16のように先端を小さく切り取り、開口部の穴を小さくした場合も、収納する部分の全高は本体に対し短く、したがって内側に入る深さは、より小さくて済む。さらに開口部の穴が本体の中心ではなく、片側に寄った位置になるので、ちいさな傾きで収納物の排出が可能である。これは排出量の微調整や使い勝手の向上にも有効である。
【００４７】
この実施例４であれば実施例３同様、粉末状調味料類の包装容器のほか、ふりかけ等、利用者が自らの好みによって開口部の広さを調整したいような製品にも適していると言える。また小さな穴から絞り出すことが可能な、マヨネーズ、ケチャップ等ペースト状製品の簡易容器としての可能性も考えられる。
【００４８】
実施例４では円錐形状は接合部から先端まで一律の傾斜を持った単純形状であるが、先端部分をより鋭角に尖らせて細い開口部を形成できるようにしたり、傾斜部分を曲線により構成するなどの工夫も、利用方法によっては有効である。
【００４９】
実施例４は、実施例１の形態を基本に応用したものであるが、この効果は実施例２の形態に応用した場合も同様である。
【００５０】
図１１、図１２に示すように、容器本体に底部分13を設け、立体的に形成する事で容器に自立性を持たせれば、本発明における容器としての使い勝手はより向上すると考えられる。
【００５１】
本発明はチャック式密封容器の開口部周辺の構造に特徴を有するもので、容器本体部分の構造、形態については各実施例に示す形態に限定されるものではない。例えば本体部分を形状の安定した箱や筒状の容器とすることも有効である。
【００５２】
なお、本発明は通常薄いシート状の素材により製造されると想定されるが、断面図である図４、図５、図９、図10、図12、図15においては、形状を解りやすく表現するため厚みを持たせた表現としている。
【図面の簡単な説明】
【００５３】
【図１】本発明請求項３における実施例１の斜視図である。
【図２】実施例１において開口部を上方に出した状態の正面図である。
【図３】実施例１において開口部を内側に収納し密封した状態の正面図である。
【図４】図１、図２のA−A’線断面図である。
【図５】図３のB−B’線断面図である。
【図６】本発明請求項３における実施例２の斜視図である。
【図７】実施例２において開口部を上方に出した状態の正面図である。
【図８】実施例２において開口部を内側に収納し密封した状態の正面図である。
【図９】図６、図７のC−C’線断面図である。
【図１０】図８のD−D’線断面図である。
【図１１】本発明請求項４における実施例３の斜視図である。
【図１２】図１１のE−E’線断面図である。
【図１３】本発明請求項７における実施例４の斜視図である。
【図１４】実施例４において円錐形状先端部分を切り取り開封して容器内に折り込んだ状態を示した斜視図である。
【図１５】図１4のF-F’線断面図である。
【符号の説明】
【００５４】
１  折り込み式開口部
２  見掛け上の開口部
３  チャック式密着構造
４  接合部
５  容器本体
６  引き出し用持ち手
７  折り込み式開口部
８  チャック式密着構造
９  折り返し部分
10  容器本体
11  引き出し用持ち手
12  開口部穴
13  底
14  円錐形状折り込み式開口部
15  開口部兼引き出し用持ち手
16  切り取り指示線
【手続補正２】
【補正対象書類名】特許請求の範囲
【補正対象項目名】全文
【補正方法】変更
【補正の内容】
【特許請求の範囲】
【請求項１】
開口部を内側に収納するチャック式密封容器
【請求項２】
開口部を本体より小径に窄めた形状とした請求項１のチャック式密封容器
【請求項３】
開口部の一箇所以上に引き出し用持ち手を設けた請求項１、請求項２のチャック式密封容器
【請求項４】
開口部を単数または複数の穴で構成した請求項１、請求項２、請求項３のチャック式密封容器
【請求項５】
開口部を円錐形状とした請求項２、請求項３、請求項４のチャック式密封容器
【請求項６】
開口部を容器本体に対し左右非対称に設けた請求項１、請求項２、請求項３、請求項４、請求項５のチャック式密封容器
【請求項７】
開口部先端部分が引き出し用持ち手の役割を兼ねた請求項３、請求項４、請求項５、請求項６のチャック式密封容器
【手続補正３】
【補正対象書類名】図面
【補正対象項目名】図１３
【補正方法】追加
【補正の内容】
【図１３】
2015071437.tif 000015
【手続補正４】
【補正対象書類名】図面
【補正対象項目名】図１４
【補正方法】追加
【補正の内容】
【図１４】
2015071437.tif 000016
【手続補正５】
【補正対象書類名】図面
【補正対象項目名】図１５
【補正方法】追加
【補正の内容】
【図１５】
2015071437.tif 000017